【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
表示パネルを駆動する表示パネルドライバであって、
入力画像データに対して補正演算を行うことにより、彩度が強調された出力画像データを生成するように構成された補正演算部と、
前記出力画像データに応答して前記表示パネルを駆動する駆動回路部と、
始点制御部
とを具備し、
前記補正演算部は、前記入力画像データのＲデータに対して第１補正演算を行って前記出力画像データのＲデータを生成し、前記入力画像データのＧデータに対して第２補正演算を行って前記出力画像データのＧデータを生成し、前記入力画像データのＢデータに対して第３補正演算を行って前記出力画像データのＢデータを生成し、
前記始点制御部は、前記第１補正演算の入出力関係に対応する第１入出力カーブの始点の位置、前記第２補正演算の入出力関係に対応する第２入出力カーブの始点の位置、及び、前記第３補正演算の入出力関係に対応する第３入出力カーブの始点の位置を制御する
表示パネルドライバ。
【請求項２】
請求項１に記載の表示パネルドライバであって、
前記始点制御部は、ある画素に対応する前記入力画像データの前記補正演算において、前記画素に対応する前記入力画像データから前記画素の輝度を算出し、前記画素に対応する前記入力画像データのＲデータの値と前記画素の輝度との第１差分に応じて前記第１入出力カーブの始点の位置を制御し、前記画素に対応する前記入力画像データのＧデータの値と前記画素の輝度との第２差分に応じて前記第２入出力カーブの始点の位置を制御し、前記画素に対応する前記入力画像データのＢデータの値と前記画素の輝度との第３差分に応じて前記第３入出力カーブの始点の位置を制御する
表示パネルドライバ。
【請求項３】
請求項１又は２に記載の表示パネルドライバであって、
前記始点制御部は、あるフレーム期間における前記入力画像データの前記補正演算において、前記第１入出力カーブ、前記第２入出力カーブ及び前記第３入出力カーブの始点の位置を、前記フレーム期間に前記表示パネルに表示されるフレーム画像の平均彩度に応じて制御する
表示パネルドライバ。
【請求項４】
請求項２に記載の表示パネルドライバであって、
前記始点制御部は、前記画素に対応する前記入力画像データの前記補正演算において、第１強調係数、第２強調係数及び第３強調係数を、所定の関数ｆ（ｘ）を用いて下記式：
ＩＮＳＴＲ＝ｆ（ＤＩＮＲ）
ＩＮＳＴＧ＝ｆ（ＤＩＮＧ）
ＩＮＳＴＢ＝ｆ（ＤＩＮＢ）
に従って算出し（ただし、ＩＮＳＴＲは前記第１強調係数であり、ＩＮＳＴＧは前記第２強調係数であり、ＩＮＳＴＢは前記第３強調係数であり、ＤＩＮＲは、前記画素に対応する前記入力画像データのＲデータであり、ＤＩＮＧは、前記画素に対応する前記入力画像データのＧデータであり、ＤＩＮＢは、前記画素に対応する前記入力画像データのＢデータである）、
前記関数ｆ（ｘ）は、ｘがβであるときに最大値をとり、ｘがβよりも小さいときにはｘに対して単調に増加し、ｘがβよりも大きいときにはｘに対して単調に減少する関数であり、
βは、ＤＩＮＭＡＸ／２、又は、ＤＩＮＭＡＸ／２に最も近い整数として与えられる値であり（ただし、ＤＩＮＭＡＸは、前記入力画像データのＲデータ、Ｇデータ、Ｂデータの上限値）、
前記始点制御部は、前記第１強調係数、第２強調係数及び第３強調係数のうちの最小値である最小強調係数を算出し、
前記始点制御部は、前記第１入出力カーブの始点の位置を前記最小強調係数と前記第１差分の積に応じて制御し、前記第２入出力カーブの始点の位置を前記最小強調係数と前記第２差分の積に応じて制御し、前記第３入出力カーブの始点の位置を前記最小強調係数と前記第３差分の積とに応じて制御する
表示パネルドライバ。
【請求項５】
請求項４に記載の表示パネルドライバであって、
前記始点制御部は、あるフレーム期間における前記画素に対応する前記入力画像データの前記補正演算において、前記フレーム期間に前記表示パネルに表示されるフレーム画像の平均彩度を算出し、前記第１入出力カーブの始点の位置を、前記入力画像データのＲデータ、Ｇデータ、Ｂデータの上限値から前記平均彩度を減じた第４差分と前記最小強調係数と前記第１差分との積に応じて制御し、前記第２入出力カーブの始点の位置を、前記第４差分と前記最小強調係数と前記第２差分との積に応じて制御し、前記第３入出力カーブの始点の位置を、前記第４差分と前記最小強調係数と前記第３差分との積に応じて制御する
表示パネルドライバ。
【請求項６】
請求項１に記載の表示パネルドライバであって、
前記始点制御部は、前記第１入出力カーブの始点の位置を制御する第１始点制御データと、前記第２入出力カーブの始点の位置を制御する第２始点制御データと、前記第３入出力カーブの始点の位置を制御する第３始点制御データを生成し、
前記表示パネルドライバは、
更に、
あるフレーム期間における前記入力画像データの前記補正演算において、前記フレーム期間に前記表示パネルに表示されるフレーム画像のＡＰＬを示すＡＰＬデータと前記フレーム画像の輝度の分散を示す分散データとを生成する特徴データ生成部と、
前記ＡＰＬデータと前記分散データと前記第１始点制御データに応じて前記第１入出力カーブの形状を制御し、前記ＡＰＬデータと前記分散データと前記第２始点制御データに応じて前記第２入出力カーブの形状を制御し、前記ＡＰＬデータと前記分散データと前記第３始点制御データに応じて前記第３入出力カーブの形状を制御する補正制御部
とを備える
表示パネルドライバ。
【請求項７】
入力画像データに対して補正演算を行うことにより、彩度が強調された出力画像データを生成するように構成された補正演算部と、
始点制御部
とを備え、
前記補正演算部は、前記入力画像データのＲデータに対して第１補正演算を行って前記出力画像データのＲデータを生成し、前記入力画像データのＧデータに対して第２補正演算を行って前記出力画像データのＧデータを生成し、前記入力画像データのＢデータに対して第３補正演算を行って前記出力画像データのＢデータを生成し、
前記始点制御部は、前記第１補正演算の入出力関係に対応する第１入出力カーブの始点の位置、前記第２補正演算の入出力関係に対応する第２入出力カーブの始点の位置、及び、前記第３補正演算の入出力関係に対応する第３入出力カーブの始点の位置を制御する
画像処理装置。
【請求項８】
請求項７に記載の画像処理装置であって、
前記始点制御部は、ある画素に対応する前記入力画像データの前記補正演算において、前記画素に対応する前記入力画像データから前記画素の輝度を算出し、前記画素に対応する前記入力画像データのＲデータの値と前記画素の輝度との第１差分に応じて前記第１入出力カーブの始点の位置を制御し、前記画素に対応する前記入力画像データのＧデータの値と前記画素の輝度との第２差分に応じて前記第２入出力カーブの始点の位置を制御し、前記画素に対応する前記入力画像データのＢデータの値と前記画素の輝度との第３差分に応じて前記第３入出力カーブの始点の位置を制御する
画像処理装置。
【請求項９】
表示パネルと、
前記表示パネルを駆動する表示パネルドライバ
とを具備し、
前記表示パネルドライバは、
入力画像データに対して補正演算を行うことにより、彩度が強調された出力画像データを生成するように構成された補正演算部と、
前記出力画像データに応答して前記表示パネルを駆動する駆動回路部と、
始点制御部
とを備え、
前記補正演算部は、前記入力画像データのＲデータに対して第１補正演算を行って前記出力画像データのＲデータを生成し、前記入力画像データのＧデータに対して第２補正演算を行って前記出力画像データのＧデータを生成し、前記入力画像データのＢデータに対して第３補正演算を行って前記出力画像データのＢデータを生成し、
前記始点制御部は、前記第１補正演算の入出力関係に対応する第１入出力カーブの始点の位置、前記第２補正演算の入出力関係に対応する第２入出力カーブの始点の位置、及び、前記第３補正演算の入出力関係に対応する第３入出力カーブの始点の位置を制御する
表示装置。
【請求項１０】
請求項９に記載の表示装置であって、
前記始点制御部は、ある画素に対応する前記入力画像データの前記補正演算において、前記画素に対応する前記入力画像データから前記画素の輝度を算出し、前記画素に対応する前記入力画像データのＲデータの値と前記画素の輝度との第１差分に応じて前記第１入出力カーブの始点の位置を制御し、前記画素に対応する前記入力画像データのＧデータの値と前記画素の輝度との第２差分に応じて前記第２入出力カーブの始点の位置を制御し、前記画素に対応する前記入力画像データのＢデータの値と前記画素の輝度との第３差分に応じて前記第３入出力カーブの始点の位置を制御する
表示装置。